(57)【要約】【課題】ウェイクアップ期間はスリープする装置がサービス要求装置から隠蔽される、スリープする装置をウェイクアップさせるための方法。【解決手段】スリープする装置は、通信ネットワークを介してウェイクアップ装置に結合される。スリープする装置は、ウェイクアップ装置からサービス要求を受けたときに、ウェイクアップ状態になってウェイクアップ装置にサービスを提供するように構成される。最初に、ウェイクアップ装置によってサービス要求をスリープする装置に宛てて送信する。通信ネットワークは、常時電源がオンの、通信ネットワークに結合されるネットワーク要素を含む。ネットワーク要素が、スリープする装置に宛てたサービス要求を途中で捕捉し、サービス要求を途中で捕捉した際、スリープする装置をウェイクアップさせるための要求を生成し、スリープする装置がウェイクアップするまでの間、ウェイクアップ装置に提供する代替サービスを決定する。【選択図】      図１
2005184805.tif 000002
【特許請求の範囲】
【請求項１】
通信ネットワークを介してウェイクアップ装置に結合され、前記ウェイクアップ装置からサービスの要求を受けたときに、ウェイクアップ状態になって前記ウェイクアップ装置にサービスを提供するように構成されたスリープする装置をウェイクアップさせるための、
ａ．前記ウェイクアップ装置（ＷＤ）によってサービスの前記要求を前記スリープする装置（ＳＤ〜ＳＤ５）に宛てて送信するステップを含む方法であって、前記通信ネットワーク（ＣＮ）が、常時電源オンの、前記通信ネットワークに結合されたネットワーク要素（ＡＭ）を含み、前記方法がさらに、
ａ．前記ネットワーク要素（ＡＭ）が、前記スリープする装置（ＳＤ〜ＳＤ５）に宛てたサービスの前記要求を途中で捕捉するステップと、
ｂ．前記ネットワーク要素（ＡＭ）が、サービスの前記要求を途中で捕捉した際、前記スリープする装置（ＳＤ〜ＳＤ５）をウェイクアップさせるための要求を生成し、前記スリープする装置がウェイクアップするまでの間、前記ウェイクアップ装置（ＷＤ）に提供する代替サービスを決定するステップと、
ｃ．前記ネットワーク要素（ＡＭ）が、ウェイクアップさせるための前記要求を前記スリープする装置（ＳＤ）に送信するステップと、
ｄ．前記ネットワーク要素（ＡＭ）が、前記スリープする装置がウェイクアップするまでの間、前記ウェイクアップ装置（ＷＤ）に代替サービスを提供するステップとを含む方法。
【請求項２】
前記ウェイクアップ装置（ＷＤ）に代替サービスを提供する前記ステップが、要求されたサービスと同じサービスを提供することを特徴とする請求項１に記載のスリープする装置をウェイクアップさせるための方法。
【請求項３】
前記ウェイクアップ装置（ＷＤ）に代替サービスを提供する前記ステップが、前記スリープする装置をウェイクアップさせるのに必要な期間を埋め合わせるサービスを提供することを特徴とする請求項１に記載のスリープする装置をウェイクアップさせるための方法。
【請求項４】
スリープする装置をウェイクアップさせるためのネットワーク要素であって、前記スリープする装置は、通信ネットワークを介してウェイクアップ装置に結合され、前記ウェイクアップ装置（ＷＤ〜ＷＤ３）からサービスの要求を受けたときに、ウェイクアップ状態になって前記ウェイクアップ装置にサービスを提供するように構成され、常時電源オンの前記ネットワーク要素が、
ａ．前記ウェイクアップ装置（ＷＤ〜ＷＤ３）によって転送された、サービスの前記要求を受信し、または途中で捕捉するように構成される要求受信部（ＲＲＰ）と、
ｂ．前記要求受信部（ＲＲＰ）の出力に入力が結合され、前記スリープする装置（ＳＤ〜ＳＤ５）に宛てたサービスの前記要求を受信し、または途中で捕捉した際、前記スリープする装置（ＳＤ〜ＳＤ５）をウェイクアップさせるための要求を生成し、前記スリープする装置がウェイクアップするまでの間、前記ウェイクアップ装置（ＷＤ〜ＷＤ３）に提供する代替サービスを決定するように構成される要求処理部（ＲＰＰ）と、
ｃ．前記要求処理部（ＲＰＰ）の出力に入力が結合され、前記ウェイクアップ装置（ＷＤ〜ＷＤ３）に前記代替サービスを提供するように構成される代替サービス提供部と、
ｄ．前記要求処理部（ＲＰＰ）の出力に入力が結合され、前記要求処理部（ＲＰＰ）によって生成された前記スリープする装置（ＳＤ〜ＳＤ５）をウェイクアップさせるための要求を、前記スリープする装置に送信するように構成されるウェイクアップ命令転送部（ＷＩＦＰ）とを含むネットワーク要素。
【請求項５】
通信ネットワークを介して前記ウェイクアップ装置に結合され、前記ウェイクアップ装置（ＷＤ〜ＷＤ３）からサービスの要求を受けたときに、ウェイクアップ状態になって前記ウェイクアップ装置にサービスを提供するように構成されたスリープする装置をウェイクアップさせるためのウェイクアップ装置（ＷＤ１〜ＷＤ３）であって、
前記スリープする装置に宛てたサービスの要求を、常時電源オンの前記通信ネットワークのネットワーク要素に転送するように構成されるサービス要求転送部（ＳＲＰ）を含むことを特徴とするウェイクアップ装置。
【請求項６】
前記ネットワーク要素（ＡＭ）によって前記ウェイクアップ装置（ＷＤ〜ＷＤ３）に提供される前記代替サービスを解釈するように構成される代替サービス解釈部（ＳＩＰ）をさらに含むことを特徴とする請求項５に記載のウェイクアップ装置（ＷＤ１〜ＷＤ３）。
【発明の詳細な説明】
【技術分野】
【０００１】
本発明は、請求項１のプレアンブルに記載のスリープする装置をウェイクアップさせる（ｗａｋｅ  ｕｐ）ための方法、および請求項５のプレアンブルに記載の関連するウェイクアップ装置に関する。
【背景技術】
【０００２】
そのような方法および関連装置は、例えば、２０００年２月２日に公開された、Ｒｙｕ，  Ｃｈａｎｇ  ‐Ｈｙｕｎを発明者とする、「ＭＥＴＨＯＤ  ａｎｄ  ＡＰＰＡＲＡＴＵＳ  ｆｏｒ  ＣＯＮＴＲＯＬＬＩＮＧ  ｐｏｗｅｒ  ＯＦ  Ａ  ＣＯＭＰＵＴＥＲ  ｓｙｓｔｅｍ  ＯＮ  Ａ  ＬＡＮ  （ＬＯＣＡＬ  ＡＲＥＡ  Ｎｅｔｗｏｒｋ）」と題する欧州特許出願第０９７７１１２号明細書などから、すでに当技術分野において知られている。
【０００３】
同出願において、ローカルエリアネットワークと呼ばれる通信ネットワークに結合されたコンピュータシステムの電源を、ウェイクオンローカルエリアネットワークＬＡＮ信号を用いて制御する方法が、説明されている。そのようなコンピュータシステムは、コンピュータシステムのネットワークインタフェースにおいてサービス要求装置から送信されたウェイクオンＬＡＮ信号を受信した際に、電源オフ状態と呼ばれるスリープ状態にあるコンピュータシステムをウェイクアップさせる、すなわち、コンピュータシステムに電源を投入できる、「ウェイクオンＬＡＮ」機能を備える。
【０００４】
しかし、そのような装置は、スリープ状態にあるとき、またはウェイクアップ期間とよばれるスリープ状態からウェイクアップ状態への移行中にあるとき、タイムアウトのため、ネットワークサービスにおける役割を実行させるために利用することができない。これは、パーソナルコンピュータに着信要求、すなわち、ＨＴＴＰのＧＥＴが到着した際、たとえＰＣが稼働していても、基盤をなすＴＣＰおよび／またはＴＣＰレイヤで生じるタイムアウトのため、サービス要求に要求通りの応答が返されないことを意味する。
【０００５】
さらに、スリープ状態またはウェイクアップ期間にあるそのような装置は、ＩＰアドレスの揮発性および／または到達不能性のため、すなわち、（ローカルまたはリモートの）アプリケーションまたはサービスが、スタンバイ中のネットワーク内装置で入手可能な情報にアクセスする必要がある場合、使用するＩＰアドレスを知る手段がないため、または（ＩＰアドレスは分かっていても）装置が一時的に到達不能になるため、利用することができない。スリープしている、またはウェイクアップしつつある期間中、装置は、（解放したか、リース期限が切れるかして）ＩＰアドレスをもっていないことがあり、またはＩＰアドレスはもっていても、（例えば、イーサネット（登録商標）の）参照テーブル中のエントリが期限切れになっていて、プロトコルスタックの下位レイヤは、そのＩＰアドレスをネットワークインタフェースカードに関係付けることができない。
【特許文献１】欧州特許出願第０９７７１１２号明細書
【特許文献２】米国特許第６３５３７６５号明細書
【特許文献３】欧州特許出願第０８３５００８号明細書
【特許文献４】米国出願第２００２／１７３３２５号明細書
【発明の開示】
【発明が解決しようとする課題】
【０００６】
本発明の目的は、上記の知られたタイプのスリープする装置をウェイクアップさせるための方法、およびスリープする装置をウェイクアップさせるためのネットワーク要素を提供することであり、しかも、スリープする装置がスリープ状態から稼働状態に移行中のウェイクアップ期間は、サービス要求装置から隠蔽される方法およびネットワーク要素を提供することである。
【課題を解決するための手段】
【０００７】
本発明によれば、上記の目的は、請求項１に記載のスリープする装置をウェイクアップさせるための方法、請求項４に記載のネットワーク要素、および請求項５に記載の関連するウェイクアップ装置によって達成される。
【０００８】
実際、常時オン状態にあるネットワーク要素を通信ネットワークに組み込むことによって、このネットワーク要素は、スリープする装置に宛てたサービス要求を受信し、または途中で捕捉する（ｉｎｔｅｒｃｅｐｔ）ことができ、そのようなサービス要求を途中で捕捉した際、スリープする装置をウェイクアップさせるための要求を生成し、スリープする装置がウェイクアップするまでの間、ウェイクアップ装置に提供する代替サービスを決定する。このようにすることで、ウェイクアップ装置は、ウェイクアップ期間中、このウェイクアップ期間を不都合なく埋め合わせるため、要求したサービスに代わる代替サービスの提供を受け、ウェイクアップ期間は、サービス要求装置から隠蔽される。
【０００９】
本発明のさらなる特徴的機能について、請求項２に記載する。
【００１０】
ウェイクアップ装置に提供される代替サービスは、要求されたサービスと同じサービスとする。
【００１１】
本発明のさらなる特徴的機能について、請求項３に記載する。
【００１２】
ウェイクアップ装置に提供される代替サービスは、スリープする装置がウェイクアップするのに必要な期間を埋め合わせるサービスを提供することとする。
【００１３】
請求項の中で使用される「含む」という語は、その前に列挙される手段に限定する働きをもつと解釈すべきではないことに留意されたい。したがって、「手段ＡとＢを含む装置」という表現の範囲は、構成要素ＡとＢだけから成る装置に限定されるべきではない。上記の表現は、本発明に関連がある装置の構成要素が、ＡとＢだけであることを意味する。
【００１４】
同様に、やはり請求項の中で使用される「結合される」という語は、直接的な接続だけに限定する働きをもつと解釈すべきではないことに留意されたい。したがって、「装置Ｂに結合される装置Ａ」という表現の範囲は、装置Ａの出力が装置Ｂの入力に直接接続される装置またはシステムに限定されるべきではない。上記の表現は、その他の装置または手段を含むこともあるパスが、装置Ａの出力と装置Ｂの入力の間に存在することを意味する。
【００１５】
以下の本発明の一実施形態の説明を添付の図面と併せて参照することによって、本発明の上記およびその他の目的および特徴がより明瞭になり、本発明を最もよく理解することができるであろう。
【発明を実施するための最良の形態】
【００１６】
以下の段落で、図面を参照しながら、本発明による、スリープする装置をウェイクアップさせる方法、スリープする装置ＳＤ、ネットワーク要素ＡＭ、およびウェイクアップ装置ＷＤの実施について説明する。その説明の第１段落で、図１に示す通信システムの主要要素について説明する。第２段落で、前述した要素および説明した手段の間のすべての接続を定義する。その後で、図２に示すスリープする装置ＳＤ、ネットワーク要素ＡＭ、およびウェイクアップ装置ＷＤのすべての関連する機能手段について説明し、続いて、すべての相互接続についても説明する。その後の段落では、スリープする装置をウェイクアップさせる方法の実際の実行について説明する。
【００１７】
本発明による実施形態である通信ネットワークの必須要素は、未使用時にはエネルギー節約戦略のため電源を落とした状態にあるスリープする装置ＳＤ〜ＳＤ５、スリープする装置にサービスを要求できるウェイクアップ装置ＷＤ〜ＷＤ３、および通信ネットワークにおいて一定の機能性をもち、常時電源オンの状態にあるネットワーク要素ＡＭである。
【００１８】
この実施形態では、ユーザの住宅環境に存在する複数のスリープする装置について、すなわち、最初にパーソナルコンピュータＳＤ、さらにスキャナＳＤ１、パーソナルコンピュータＳＤ２、プリンタＳＤ３、テレビセットＳＤ４、サウンドシステムＳＤ５について説明することにする。この実施形態におけるネットワーク要素ＡＭは、常時電源がオンになっているＡＤＳＬモデムとする。代替として、ネットワーク要素ＡＭは、常時電源がオンになっており、通信ネットワークの一部を形成するパーソナルコンピュータ、または常時電源がオンになっている、通信用のその他の任意の装置とすることもできる。ウェイクアップ装置は、スリープする装置または１組のスリープする装置のサービスを要求できる、電話機ＷＤ、ＤＶＤムービープロバイダＷＤ１、または携帯情報端末ＷＤ２とし、例えば、複数のスリープする装置は、要求されたサービスを提供するよう協力する。任意選択で、スリープする装置または１組のスリープする装置のサービスを要求するＵＭＴＳ端末ＷＤ３があってもよい。
【００１９】
ユーザの住宅環境に存在するスリープする装置はそれぞれ、ユーザの家屋内に設置される、以降ＬＡＮと呼ぶ、ローカルエリアネットワークＬＡＮに結合される。代替として、スリープする装置はそれぞれ、無線、光ファイバを介して、常時電源オンのネットワーク要素ＡＭに結合することもできる。ＡＤＳＬモデムＡＭは、ＬＡＮをインターネットに結合する。ウェイクアップ装置である電話機ＷＤは、銅線を介して、携帯情報端末ＷＤ２は、エアリンクを介して、ＡＤＳＬモデムに結合される。
【００２０】
代替として、ウェイクアップ装置は、直接ＬＡＮに結合することもできる。
【００２１】
ＵＭＴＳ端末ＷＤ３は、ＵＭＴＳリンクを介してインターネット網ＩＮに結合される。
【００２２】
ウェイクアップ装置ＷＤの基本要素は、スリープする装置にサービスを要求することができるサービス要求部ＳＲＰである。
【００２３】
常時電源オンのネットワーク要素ＡＭは、ウェイクアップ装置ＷＤによって転送された、スリープする装置ＳＤに宛てたサービス要求を受信できる要求受信部ＲＲＰと、サービス要求を受信したときに、スリープする装置ＳＤに宛てたウェイクアップ要求を生成し、スリープする装置がウェイクアップするまでの間、ウェイクアップ装置に提供する代替サービスを決定する要求処理部ＲＰＰとを含む。さらに、ネットワーク要素ＡＭには、ウェイクアップ装置ＷＤに代替サービスを提供するように構成される代替サービス提供部と、要求処理部ＲＰＰによって生成されたスリープする装置をウェイクアップさせるための要求をスリープする装置に転送するためのウェイクアップ命令転送部ＷＩＦＰも存在する。
【００２４】
スリープする装置は、ウェイクアップ要求を受信し、スリープする装置をウェイクアップさせるためのウェイクアップ受信／起動部ＷＲＡＰを有する。
【００２５】
ウェイクアップ装置はさらに、ネットワーク要素によってウェイクアップ装置に提供される代替サービスを解釈するように構成される代替サービス解釈部ＳＩＰを含む。ウェイクアップ装置のサービス要求部ＳＲＰは、同時にウェイクアップ装置ＷＤの出力端子でもある出力端子をもつ。
【００２６】
代替サービス解釈部ＳＩＰは、同時にウェイクアップ装置ＷＤの入力端子でもある入力端子をもつ。
【００２７】
また、要求受信部ＲＲＰは、同時にネットワーク要素ＡＭの入力端子Ｉ１でもある入力端子をもち、さらにその出力を要求処理部ＲＰＰの入力に結合する。要求処理部ＲＰＰはさらに、その出力をウェイクアップ命令転送部ＷＩＦＰの入力に結合する。ウェイクアップ命令転送部ＷＩＦＰはさらに、同時にネットワーク要素ＡＭの出力端子Ｏ１でもある出力端子をもつ。さらに、要求処理部ＲＰＰは、その出力を代替サービス提供部ＳＰＰの入力に結合し、代替サービス提供部ＳＰＰは、ネットワーク要素ＡＭの出力端子Ｏ２でもある出力端子をもつ。
【００２８】
スリープする装置のウェイクアップ受信／起動部ＷＲＡＰは、同時にスリープする装置ＳＤの入力端子でもある入力端子をもつ。
【００２９】
ウェイクアップ装置ＷＤ１〜ＷＤ３はどれも、ウェイクアップ装置ＷＤと同じ構造をもち、スリープする装置ＳＤ１〜ＳＤ５はどれも、先に説明したようなスリープする装置ＳＤと同じ構造をもつことに留意されたい。
【００３０】
本発明の動作を説明するため、この実施形態におけるウェイクアップ装置はＤＶＤムービープロバイダＷＤ１であり、ホームユーザが、ＤＶＤムービープロバイダに収集されたムービーからＤＶＤムービーを事前に選択し、その後、現在はスリープ中であると仮定するテレビセットＳＤ４にＤＶＤムービーを送信するよう指示したと仮定する。
【００３１】
ＤＶＤムービープロバイダＷＤ１は、インターネット網ＩＮに接続され、事前に選択され、指示されたムービーを、インターネット網ＩＮ、ＡＤＳＬモデムＡＭ、およびＬＡＮを経由して、テレビセットＳＤ４に転送することができる。
【００３２】
ＤＶＤムービープロバイダＷＤ１は、ＤＶＤムービーを転送するよう指示された際、ウェイクアップして、指示されたムービーを表示する準備をするよう促すサービス要求を、テレビセットＳＤ４に送信する。ＡＤＳＬモデムＡＭの要求受信部ＲＲＰは、ＡＤＳＬモデムＡＭによって転送されたそのサービス要求を途中で捕捉する。代替として、サービス要求は、直接ＡＤＳＬモデムＡＭに宛てて転送することができ、その場合、ＡＤＳＬモデムＡＭは、要求を直接受信する。
【００３３】
次に、要求処理部ＲＰＰは、この実施形態ではテレビセットＳＤ４とするスリープする装置に宛てたサービス要求を捕捉または受信した際、ネットワーク要素ＡＭのウェイクアップ命令転送部ＷＩＦＰによって転送され、テレビセットＳＤ４のウェイクアップ受信／起動部ＷＲＡＰによって受信される、テレビセットＳＤ４用のウェイクアップ命令を生成する。
【００３４】
ウェイクアップ受信／起動部ＷＲＡＰは、テレビセットＳＤ４の起動を初期化する。
【００３５】
しばらくの間は、ムービーがＤＶＤムービープロバイダＷＤ１からＡＤＳＬモデムＡＭに転送されても、まだテレビセットでは、そのムービーを受信して、それを画面上に表示する準備ができていない。
【００３６】
したがって、要求処理部ＲＰＰは、テレビセットＳＤ４がウェイクアップするまでの間、ウェイクアップ装置に提供する代替サービスとして、テレビセットでムービーを表示する準備ができるまで、ビデオデータをバッファリングすることを決定する。そうしなければ、テレビセットではまだ指示されたムービーを表示する準備ができていないので、ムービーの冒頭部分が失われてしまうであろう。
【００３７】
別の可能な代替サービスとして、ムービープロバイダにビデオデータの送信を遅延させるための要求を送信することができる。
【００３８】
次に、代替サービス提供部ＳＰＰは、テレビセットでムービーを表示する準備ができるまで、ビデオデータをバッファリングすることによって、または例えば、ムービープロバイダにビデオデータの送信を遅延させるための要求を送信することによって、代替サービスを提供する。
【００３９】
最後に、上述の説明において、本発明の実施形態は機能ブロックによって説明された。上述したそれらのブロックの機能説明から、電子デバイス設計分野に精通した者であれば、よく知られた電子部品を用いて、それらのブロックの実施形態をどのように製造しうるかは明らかであろう。したがって、機能ブロック内部の詳細な構成は示さない。
【００４０】
本発明の原理を具体的な装置に関連させて上で説明したが、その説明は例としてのみ行ったものであり、添付の特許請求の範囲によって確定される本発明の範囲を限定するものではないことを明確に理解されたい。
【図面の簡単な説明】
【００４１】
【図１】本発明が実行される通信ネットワークを示す図である。
【図２】図１に示すスリープする装置ＳＤ、ウェイクアップ装置ＷＤ、およびネットワーク要素ＡＭを示す機能図である。
【符号の説明】
【００４２】
ＳＤ、ＳＤ１、ＳＤ２、ＳＤ３、ＳＤ４、ＳＤ５  スリープする装置
ＷＤ、ＷＤ１、ＷＤ２、ＷＤ３  ウェイクアップ装置
ＡＭ  ネットワーク要素
ＩＮ  インターネット網
ＳＲＰ  サービス要求部
ＲＲＰ  要求受信部
ＲＰＰ  要求処理部
ＳＰＰ  代替サービス提供部
ＷＩＦＰ  ウェイクアップ命令転送部
ＷＲＡＰ  ウェイクアップ受信／起動部
ＳＩＰ  代替サービス解釈部
Ｏ１、Ｏ２  出力端子
【図１】
2005184805.tif 000003
【図２】
2005184805.tif 000004
【外国語明細書】
2005184805.tif 000005
2005184805.tif 000006
2005184805.tif 000007
2005184805.tif 000008
2005184805.tif 000009
2005184805.tif 000010
2005184805.tif 000011
2005184805.tif 000012
2005184805.tif 000013
2005184805.tif 000014
2005184805.tif 000015
2005184805.tif 000016
2005184805.tif 000017
2005184805.tif 000018